(57)【要約】      （修正有）【課題】居室親機に接続される集合玄関機、管理室親機、玄関子機等の対象毎に行われる呼出音、警報音等の設定変更を容易として利便性を高める。【解決手段】居室親機に接続される集合玄関機、管理室親機、玄関子機等からの呼び出しがある旨の呼出音や警報音等のパターンを変更するにあたり、居室親機のスイッチ２４ａ、２４ｂ、２４ｃ、２４ｄのうち、モニタ２３の固定表示領域２３０に並設されている当該スイッチを押下操作し、モニタに列表示されたスクロール表示領域２３１ａ、２３１ｂ、２３１ｃ、２３１ｄのうち設定対象に予め割り当てられている当該スクロール表示領域のみ列表示でスクロール可能となるように制御することにより、スクロールが固定されている他の当該スクロール表示領域と同一列の設定項目決定領域２３２に強調表示されている呼出音や警報音等のパターンを確認しつつ、当該呼出音や警報音等のパターンを任意に変更で出来るようにする。【選択図】図２
2006279264.tif 000002
【特許請求の範囲】
【請求項１】
集合住宅の集合玄関に設置され来訪者が居住者または管理人を呼び出して通話を成立させるための集合玄関機（１）と、前記集合住宅の複数の住戸の住戸内にそれぞれ設置され前記居住者が前記来訪者または前記管理人との間で通話を成立させるための居室親機（２ａ、２ｂ、・・・）と、前記集合住宅の管理室内に設置され前記管理人が前記来訪者または前記居住者との間で通話を成立させるための管理室親機（３）と、前記集合玄関機、前記居室親機、前記管理室親機をそれぞれ制御するための制御機（４）と、前記住戸の住戸玄関にそれぞれ設置され前記来訪者が前記居住者を呼び出して通話を成立させるための玄関子機（５ａ、６ａ、５ｂ、６ｂ、・・・）とを備え、
前記居室親機は、前記居室親機に接続される前記集合玄関機、前記管理室親機、前記玄関子機等の設定対象を表示するための固定表示領域（２３０）と、前記設定対象毎に呼出音、警告音等の設定項目に関する複数の設定内容を表示するためのスクロール表示領域（２３１ａ、２３１ｂ、２３１ｃ、２３１ｄ）とをモニタ（２３）に設け、
前記設定対象毎に前記設定内容をスクロールするためのスイッチ（２４ａ、２４ｂ、２４ｃ、２４ｄ）をそれぞれ設けることを特徴とする集合住宅インターホンシステム。
【請求項２】
集合住宅の集合玄関に設置され来訪者が居住者または管理人を呼び出して通話を成立させるための集合玄関機（１）と、前記集合住宅の複数の住戸の住戸内にそれぞれ設置され前記居住者が前記来訪者または前記管理人との間で通話を成立させるための居室親機（２ａ、２ｂ、・・・）と、前記集合住宅の管理室内に設置され前記管理人が前記来訪者または前記居住者との間で通話を成立させるための管理室親機（３）と、前記集合玄関機、前記居室親機、前記管理室親機をそれぞれ制御するための制御機（４）と、前記住戸の住戸玄関にそれぞれ設置され前記来訪者が前記居住者を呼び出して通話を成立させるための玄関子機（５ａ、６ａ、５ｂ、６ｂ、・・・）とを備え、
前記居室親機は、前記居室親機に接続される前記集合玄関機、前記管理室親機、前記玄関子機等の複数の設定対象を表示するためのスクロール表示領域（２３１ａ’、２３１ｂ’、２３１ｃ’、２３１ｄ’、２３１ｅ、２３１ｆ）と、前記設定対象毎に呼出音、警告音等の設定項目に関する設定内容を表示するための固定表示領域（２３０’）とをモニタ（２３’）に設け、
前記設定内容毎に前記設定対象をスクロールするためのスイッチ（２４ａ’、２４ｂ’、２４ｃ’、２４ｄ’、２４ｅ、２４ｆ）をそれぞれ設けることを特徴とする集合住宅インターホンシステム。
【請求項３】
前記スイッチは、前記スクロール表示領域に表示される前記設定内容または前記設定対象がスクロールされる方向の延長上に設けられることを特徴とする請求項１または請求項２記載の集合住宅インターホンシステム。
【請求項４】
前記スクロールされる設定内容は、同一の設定項目毎に１画面にて設定することを特徴とする請求項１乃至請求項３のうち何れか１項記載の集合住宅インターホンシステム。
【請求項５】
前記スクロール表示領域は、前記設定内容が行列表示され、同一行または同一列を設定項目決定領域（２３２、２３２’）とすることを特徴とする請求項４記載の集合住宅インターホンシステム。
【請求項６】
前記設定項目決定領域に表示される内容を強調表示することを特徴とする請求項５記載の集合住宅インターホンシステム。
【請求項７】
前記設定項目決定領域に表示される設定項目に変更が生じた場合、その変更内容を音または色表示によって前記居住者に報知することを特徴とする請求項５または請求項６記載の集合住宅インターホンシステム。
【請求項８】
前記固定表示領域に前記設定項目決定領域を並設することを特徴とする請求項５乃至請求項７のうち何れか１項記載の集合住宅インターホンシステム。
【請求項９】
前記固定表示領域を前記スイッチに並設することを特徴とする請求項１乃至請求項８のうち何れか１項記載の集合住宅インターホンシステム。
【発明の詳細な説明】
【技術分野】
【０００１】
本発明は、マンション等の集合住宅に設置される集合住宅インターホンシステムに係り、住戸内に在室中の居住者により居室親機にて行われる設定操作を容易として利便性を高めた集合住宅インターホンシステムに関する。
【背景技術】
【０００２】
従来から、この種の集合住宅インターホンシステムとして、居室親機のモニタに表示される背景画面を住戸内に在室中の居住者により任意に設定変更可能とし、モニタの視認性を高めた集合住宅インターホンシステムが開示されている（例えば、特許文献１を参照。）。
【０００３】
従来例の集合住宅インターホンシステムによれば、制御装置により制御される集合玄関機および居室親機のうち、居室親機のモニタに表示される背景画面は、住戸内の在室中の居住者による操作部の操作を検出したＣＰＵの制御をもとに当該居室親機の背景画面蓄積部または制御装置の背景画面蓄積部から読み出される任意の背景画面へと設定変更できるばかりでなく、モニタの起動時には、操作部の操作により予め選択された背景画面で構成される呼出音量、輝度等の各種設定を行うためのメニュー画面をＣＰＵの制御により当該モニタに表示させることができることから、色の判別が困難な例えば、色弱等の居住者であってもメニュー画面の確認が容易となり当該モニタの視認性が高められる。
【０００４】
【特許文献１】特開２００４−２４７８３３号公報（段落番号００１１〜００３５、図１、図２）
【発明の開示】
【発明が解決しようとする課題】
【０００５】
従来例の集合住宅インターホンシステムにおいて、集合玄関機のみならず管理室内に設置される管理室親機や自住戸の住戸玄関に設置される玄関子機を居室親機に接続させた場合、これら集合玄関機、管理室親機、玄関子機からの呼び出しを居室親機にて聴覚を通じて報知させるにあたっては、操作部の操作により予め選択された背景画面で構成されるメニュー画面の操作により設定された呼出音量で出力される呼出元毎で異なったパターンの呼出音が適用され、呼出先の居住者にとっては、呼出音のパターンの相違をもとに呼出元が集合玄関機、管理室親機、玄関子機のうち何れであるのかを判別／確認していた。
【０００６】
しかしながら、それぞれで異なるパターンの呼出音の設定変更は、集合玄関機、管理室親機、玄関子機のように呼出元別途の画面で設定せねばならず、例えば、集合玄関機からの呼び出しを報知する呼出音のパターンを変更している設定中において、変更された呼出音のパターンが管理室親機や玄関子機からの呼び出しを報知させる呼出音のパターンと一致しているか否かを居住者が確認できず、当該居住者の記憶に依存していた。
【０００７】
本発明は、前述の難点を解消するためになされたもので、居室親機のモニタへの表示を行列表示でスクロール可能とし、居室親機に接続される集合玄関機、管理室親機、玄関子機等の対象毎に行われる呼出音、警報音等の設定変更を、モニタの一画面にて行い設定操作を容易として利便性を高めた集合住宅インターホンシステムを提供することを目的としている。
【課題を解決するための手段】
【０００８】
前述の目的を達成するため、本発明の第１の態様である集合住宅インターホンシステムは、集合住宅の集合玄関に設置され来訪者が居住者または管理人を呼び出して通話を成立させるための集合玄関機と、集合住宅の複数の住戸の住戸内にそれぞれ設置され居住者が来訪者または管理人との間で通話を成立させるための居室親機と、集合住宅の管理室内に設置され管理人が来訪者または居住者との間で通話を成立させるための管理室親機と、集合玄関機、居室親機、管理室親機をそれぞれ制御するための制御機と、住戸の住戸玄関にそれぞれ設置され来訪者が居住者を呼び出して通話を成立させるための玄関子機とを備えたものである。居室親機は、居室親機に接続される集合玄関機、管理室親機、玄関子機等の設定対象を表示するための固定表示領域と、設定対象毎に呼出音、警告音等の設定項目に関する複数の設定内容を表示するためのスクロール表示領域とをモニタに設け、設定対象毎に設定内容をスクロールするためのスイッチをそれぞれ設けたものである。
【０００９】
また、本発明の第２の態様である集合住宅インターホンシステムは、集合住宅の集合玄関に設置され来訪者が居住者または管理人を呼び出して通話を成立させるための集合玄関機と、集合住宅の複数の住戸の住戸内にそれぞれ設置され居住者が来訪者または管理人との間で通話を成立させるための居室親機と、集合住宅の管理室内に設置され管理人が来訪者または居住者との間で通話を成立させるための管理室親機と、集合玄関機、居室親機、管理室親機をそれぞれ制御するための制御機と、住戸の住戸玄関にそれぞれ設置され来訪者が居住者を呼び出して通話を成立させるための玄関子機とを備えたものである。居室親機は、居室親機に接続される集合玄関機、管理室親機、玄関子機等の複数の設定対象を表示するためのスクロール表示領域と、設定対象毎に呼出音、警告音等の設定項目に関する設定内容を表示するための固定表示領域とをモニタに設け、設定内容毎に設定対象をスクロールするためのスイッチをそれぞれ設けたものである。
【００１０】
また、本発明の第３の態様は、本発明の第１の態様または第２の態様である集合住宅インターホンシステムにおいて、スイッチは、スクロール表示領域に表示される設定内容または設定対象がスクロールされる方向の延長上に設けられるものである。
【００１１】
また、本発明の第４の態様は、本発明の第１の態様乃至第３の態様のうち何れか１の態様である集合住宅インターホンシステムにおいて、スクロールされる設定内容は、同一の設定項目毎に１画面にて設定するものである。
【００１２】
また、本発明の第５の態様は、本発明の第４の態様である集合住宅インターホンシステムにおいて、スクロール表示領域は、設定内容が行列表示され、同一行または同一列を設定項目決定領域とするものである。
【００１３】
また、本発明の第６の態様は、本発明の第５の態様である集合住宅インターホンシステムにおいて、設定項目決定領域に表示される内容を強調表示するものである。
【００１４】
また、本発明の第７の態様は、本発明の第５の態様または第６の態様である集合住宅インターホンシステムにおいて、設定項目決定領域に表示される設定項目に変更が生じた場合、その変更内容を音または色表示によって居住者に報知するものである。
【００１５】
また、本発明の第８の態様は、本発明の第１の態様乃至第７の態様のうち何れか１の態様である集合住宅インターホンシステムにおいて、固定表示領域に設定項目決定領域を並設するものである。
【００１６】
また、本発明の第９の態様は、本発明の第１の態様乃至第８の態様のうち何れか１の態様である集合住宅インターホンシステムにおいて、固定表示領域をスイッチに並設するものである。
【発明の効果】
【００１７】
本発明の集合住宅インターホンシステムによれば、居室親機に接続される集合玄関機、管理室親機、玄関子機等からの呼び出しがある旨の呼出音や警報音等のパターンを変更するにあたり、居室親機のスイッチのうち、モニタの固定表示領域に並設されている当該スイッチを押下操作し、モニタに列表示または行表示されたスクロール表示領域のうち設定対象に予め割り当てられている当該スクロール表示領域のみ列表示または行表示でスクロール可能となるように制御することにより、スクロールが固定されている他の当該スクロール表示領域と同一列または同一行の設定項目決定領域に強調表示されている呼出音や警報音等のパターンを確認しつつ、当該呼出音や警報音等のパターンを任意に変更でき設定操作が容易となり利便性が高められるとともに、この変更された内容（変更内容）は、スピーカからの音の出力、または色表示をもとに居住者に報知することができる。
【００１８】
また、本発明の集合住宅インターホンシステムによれば、それぞれで異なるパターンの呼出音や警報音等を居室親機のスピーカから出力させる呼出元を、当該居室親機に接続される集合玄関機、管理室親機、玄関子機等の中から変更するにあたり、居室親機のスイッチのうち、モニタの固定表示領域に並設されている当該スイッチを押下操作し、モニタに列表示または行表示されたスクロール表示領域のうち設定内容に予め割り当てられている当該スクロール表示領域のみ列表示または行表示でスクロール可能とすることにより、スクロールが固定されている他の当該スクロール表示領域と同一列または同一行の設定項目決定領域に強調表示されている設定対象を確認しつつ、設定対象を任意に変更でき設定操作が容易となり利便性が高められるとともに、この変更された内容（変更内容）は、スピーカからの音の出力、または色表示をもとに居住者に報知することができる。
【発明を実施するための最良の形態】
【００１９】
以下、本発明の集合住宅インターホンシステムを適用した最良の実施の形態例について、図面を参照して説明する。
【００２０】
図１は、本発明の実施例による集合住宅インターホンシステムの概略構成を示すブロック図である。
【００２１】
図１のブロック図に示す集合住宅インターホンシステムは、集合住宅の集合玄関に設置され、複数の住戸内にそれぞれ在室中の居住者のうち特定の居住者、または管理室内に在室中の管理人を呼び出した来訪者が通話を成立させるための集合玄関機１と、集合住宅の複数の住戸内にそれぞれ設置され、集合玄関機１または後述する玄関子機５ａ、６ａ、５ｂ、６ｂ、・・・を使用して呼出操作を行った来訪者、或いは後述する管理室親機３を使用して呼出操作を行った管理人からの呼び出しが報知され、この呼出報知を確認した居住者が応答して通話を成立させるとともに、居住者が管理人を呼び出して通話を成立させるための（複数の）居室親機２ａ、２ｂ、・・・と、集合住宅の管理室内に設置され、集合玄関機１を使用して呼出操作を行った来訪者または居室親機２ａ、２ｂ、・・・を使用して呼出操作を行った特定の居住者からの呼び出しが報知され、この呼出報知を確認した管理人が応答して通話を成立させるとともに、管理人が特定の居住者を呼び出して通話を成立させる、或いは複数の居住者に対して呼び出し（一斉放送と同意。）を行うための管理室親機３と、集合玄関ラインＬ1を介して接続された集合玄関機１、住戸ラインＬ2を介してバス接続された（複数の）居室親機２ａ、２ｂ、・・・、管理室ラインＬ3を介して接続された管理室親機３をそれぞれ制御するための制御機４と、集合住宅の複数の住戸の住戸玄関にそれぞれ設置され、住戸内に在室中の居住者を来訪者が呼び出して通話を成立させるための玄関子機、ここでは、住戸毎２台ずつの玄関子機（以下、第１、第２の各玄関子機という。）５ａ、６ａ、５ｂ、６ｂ、・・・とを備えており、この第１、第２の各玄関子機５ａ、６ａ、５ｂ、６ｂ、・・・には、玄関ラインＬ4a、Ｌ5a、Ｌ4b、Ｌ5b、・・・を介して居室親機２ａ、２ｂ、・・・がそれぞれ接続されている。
【００２２】
図２（ａ）は、本発明の実施例による集合住宅インターホンシステムにおいて、（複数の）居室親機２ａ、２ｂ、・・・の第１の構成例を示す説明図である
図２（ａ）の説明図において、（複数の）居室親機２ａ、２ｂ、・・・はそれぞれ同様な構成であり、集合玄関機１または第１、第２の各玄関子機５ａ、６ａ、５ｂ、６ｂ、・・・を使用して呼出操作を行った来訪者、或いは管理室親機３を使用して呼出操作を行った管理人からの呼び出しがある旨の呼出音や住戸内のトイレ、浴室等でセキュリティ異常が発生した旨の警報音（詳述せず）等を出力（放音、鳴動）させるとともに、居住者が呼出元の来訪者または管理人、或いは呼出先の管理人との間で通話を成立させるにあたり受話音声が出力されるスピーカ２０と、スピーカ２０とともに居住者が通話を成立させるにあたり使用し、送話音声を入力するためのマイク２１と、スピーカ２０およびマイク２１を使用した通話を開始させるため、居住者により応答操作が行われる通話ボタン２２と、集合玄関機１または第１、第２の各玄関子機５ａ、６ａ、５ｂ、６ｂ、・・・を使用して呼出操作を行った来訪者、或いは管理室親機３を使用して呼出操作を行った管理人からの呼び出しがある旨の呼出メッセージ（詳述せず）や住戸内のトイレ、浴室等でセキュリティ異常が発生した旨の警報メッセージ（詳述せず）等を表示させるとともに、当該居室親機に接続される設定対象、ここでは、集合玄関機１、管理室親機３、第１、第２の各玄関子機５ａ、６ａ、５ｂ、６ｂ、・・・の４台の設定対象（の名称）を表示するための固定表示領域２３０、当該４台の設定対象毎に前述の呼出音、警報音等の設定項目に関する複数の設定内容、例えば、それぞれで異なるパターンの第１〜第６の呼出音「♪１」、「♪２」、「♪３」、「♪４」、「♪５」、「♪６」をスクロール表示するための列表示されたスクロール表示領域、ここでは、集合玄関機１に割り当てられたスクロール表示領域２３１ａ、管理室親機３に割り当てられたスクロール表示領域２３１ｂ、第１の玄関子機５ａ、５ｂ、・・・に割り当てられたスクロール表示領域２３１ｃ、第２の玄関子機６ａ、６ｂ、・・・に割り当てられたスクロール表示領域２３１ｄが設けられたＬＣＤ（Liquid Crystal Display）、有機ＥＬ（Electro Luninescense）ディスプレイ等のモニタ２３と、前述の集合玄関機１、管理室親機３、第１、第２の各玄関子機５ａ、６ａ、５ｂ、６ｂ、・・・の４台の設定対象毎に前述の第１〜第６の呼出音のパターン「♪１」、「♪２」、「♪３」、「♪４」、「♪５」、「♪６」の６つの設定内容をスクロールさせるにあたり、当該設定内容がスクロールされる方向の延長上にそれぞれ設けられたスイッチ、ここでは、集合玄関機１に割り当てられたスイッチ２４ａ、管理室親機３に割り当てられたスイッチ２４ｂ、第１の玄関子機５ａ、５ｂ、・・・に割り当てられたスイッチ２４ｃ、第２の玄関子機６ａ、６ｂ、・・・に割り当てられたスイッチ２４ｄとを有している。
【００２３】
このように構成された本発明の実施例による集合住宅インターホンシステムにおいて、以下、具体的な動作について説明する。
【００２４】
なお、本発明の実施例において、集合住宅の集合玄関に居る来訪者が集合玄関機１にて所定の呼出操作を行い、（複数の）居室親機２ａ、２ｂ、・・・がそれぞれ設置された住戸内に在室中の居住者のうち特定の居住者、または管理室親機３が設置された管理室内に在室中の管理人を呼び出して通話を成立させる動作と、住戸内に在室中の居住者が居室親機２ａ、２ｂ、・・・にて所定の呼出操作を行い、管理室親機３が設置された管理室内に在室中の管理人を呼び出して通話を成立させる動作と、管理室内に在室中の管理人が管理室親機３にて所定の呼出操作を行い、（複数の）居室親機２ａ、２ｂ、・・・がそれぞれ設置された住戸内に在室中の居住者のうち特定の居住者を呼び出して通話を成立させる動作、或いは複数の居住者に対して呼び出し（一斉放送と同意。）を行う動作と、住戸玄関に居る来訪者が第１の玄関子機５ａ、６ａ、・・・または第２の玄関子機５ｂ、６ｂ、・・・を使用して所定の呼出操作を行い、（複数の）居室親機２ａ、２ｂ、・・・がそれぞれ設置された住戸内に在室中の居住者を呼び出して通話を成立させる動作とは、従来例の先行技術やその他の関連技術文献等で開示されていることから、それぞれの説明は省略する。
【００２５】
次に、本発明の実施例による集合住宅インターホンシステムを構成する（複数の）居室親機２ａ、２ｂ、・・・として、図２（ａ）の説明図に示す第１の構成例の当該居室親機を適用するにあたり、例えば、居室親機２ａにおいて、集合玄関機１にて呼出操作を行った来訪者からの呼び出しを報知させる呼出音のパターンが「♪１」、管理室親機３にて呼出操作を行った管理人からの呼び出しを報知させる呼出音のパターンが「♪２」、第１の玄関子機５ａにて呼出操作を行った来訪者からの呼び出しを報知させる呼出音のパターンが「♪３」、第２の玄関子機６ａにて呼出操作を行った来訪者からの呼び出しを報知させる呼出音のパターンが「♪４」のように予め設定（プリセット設定）されていると、モニタ２３の固定表示領域２３０には、集合玄関機１、管理室親機３、第１の玄関子機５ａ、第２の玄関子機６ａの設定対象毎の名称「集合玄関機」、「管理室親機」、「第１の玄関子機」、「第２の玄関子機」が表示される。また、モニタ２３の固定表示領域２３０に並設されている設定項目決定項目２３２には、「♪１」、「♪２」、「♪３」、「♪４」の設定内容が設定対象毎に強調表示され、この設定項目決定項目２３２は、列表示されたスクロール表示領域２３１ａ、２３１ｂ、２３１ｃ、２３１ｄと同一列の位置に設けられている。
【００２６】
ここで、居室親機２ａが設置された住戸内に在室中の居住者が、集合玄関機１にて呼出操作を行った来訪者からの呼び出しを報知させる呼出音のパターンを「♪１」から変更するためには、先ず、各スイッチ２４ａ、２４ｂ、２４ｃ、２４ｄのうち、モニタ２３の固定表示領域２３０に予め表示されている設定対象の「集合玄関機」に並設されているスイッチ２４ａを１回押下操作する。
【００２７】
この押下操作を検出した居室親機２ａの制御機能（詳述せず）は、図３（ａ）のテーブル図に示すように設定対象の「集合玄関機」に予め割り当てられている複数の呼出音のパターン、ここでは、６個のパターン「♪１」、「♪２」、「♪３」、「♪４」、「♪５」、「♪６」の設定内容がスクロール表示領域２３１ａのみ列表示でスクロール可能となるように制御し、その他のスクロール表示領域２３１ｂ、２３１ｃ、２３１ｄについてもスクロール表示領域２３１ａとともに一画面で表示（列表示）させる。この後、居室親機２ａのスイッチ２４ａの押下操作回数が「２回」→「３回」→「４回」→「５回」→・・・と増える毎に、モニタ２３の設定項目決定領域２３２のうちスクロール表示領域２３１ａと同一列の位置に強調表示される設定内容を、「♪２」→「♪３」→「♪４」→「♪５」→「♪６」→・・・のように遷移（図４の説明図を参照。）させることにより、集合玄関機１にて呼出操作を行った来訪者からの呼び出しを報知させる呼出音のパターンを、スクロールが固定されている他のスクロール表示領域２３１ｂ、２３１ｃ、２３１ｄと同一列の設定項目決定領域２３２に強調表示されている呼出音のパターン「♪２」、「♪３」、「♪４」を確認しつつ、６個のパターン「♪１」、「♪２」、「♪３」、「♪４」、「♪５」、「♪６」の中から任意に変更でき、この変更された内容（変更内容）は、スピーカ２０からの音の出力、または色表示をもとに居住者に報知される。
【００２８】
次に、居室親機２ａが設置された住戸内に在室中の居住者が、管理室親機３にて呼出操作を行った管理人からの呼び出しを報知させる呼出音のパターンを「♪２」から変更するためには、先ず、各スイッチ２４ａ、２４ｂ、２４ｃ、２４ｄのうち、モニタ２３の固定表示領域２３０に予め表示されている設定対象の「管理室親機」に並設されているスイッチ２４ｂを１回押下操作する。
【００２９】
この押下操作を検出した居室親機２ａの制御機能（詳述せず）は、図３（ａ）のテーブル図に示すように設定対象の「管理室親機」に予め割り当てられている複数の呼出音のパターン、ここでは、６個のパターン「♪１」、「♪２」、「♪３」、「♪４」、「♪５」、「♪６」の設定内容がスクロール表示領域２３１ｂのみ列表示でスクロール可能となるように制御し、その他のスクロール表示領域２３１ａ、２３１ｃ、２３１ｄについてもスクロール表示領域２３１ｂとともに一画面で表示（列表示）させる。この後、居室親機２ａのスイッチ２４ｂの押下操作回数が「２回」→「３回」→「４回」→「５回」→・・・と増える毎に、モニタ２３の設定項目決定領域２３２のうちスクロール表示領域２３１ｂと同一列の位置に強調表示される設定内容を、「♪３」→「♪４」→「♪５」→「♪６」→「♪１」→・・・のように遷移（図示せず）させることにより、管理室親機３にて呼出操作を行った管理人からの呼び出しを報知させる呼出音のパターンを、スクロールが固定されている他のスクロール表示領域２３１ａ、２３１ｃ、２３１ｄと同一列の設定項目決定領域２３２に強調表示されている呼出音のパターン「♪１」、「♪３」、「♪４」を確認しつつ、６個のパターン「♪１」、「♪２」、「♪３」、「♪４」、「♪５」、「♪６」の中から任意に変更でき、この変更された内容（変更内容）は、スピーカ２０からの音の出力、または色表示をもとに居住者に報知される。
【００３０】
次に、居室親機２ａが設置された住戸内に在室中の居住者が、第１の玄関子機５ａにて呼出操作を行った来訪者からの呼び出しを報知させる呼出音のパターンを「♪３」から変更するためには、先ず、各スイッチ２４ａ、２４ｂ、２４ｃ、２４ｄのうち、モニタ２３の固定表示領域２３０に予め表示されている設定対象の「第１の玄関子機」に並設されているスイッチ２４ｃを１回押下操作する。
【００３１】
この押下操作を検出した居室親機２ａの制御機能（詳述せず）は、図３（ａ）のテーブル図に示すように設定対象の「第１の玄関子機」に予め割り当てられている複数の呼出音のパターン、ここでは、６個のパターン「♪１」、「♪２」、「♪３」、「♪４」、「♪５」、「♪６」の設定内容がスクロール表示領域２３１ｃのみ列表示でスクロール可能となるように制御し、その他のスクロール表示領域２３１ａ、２３１ｂ、２３１ｄについてもスクロール表示領域２３１ｃとともに一画面で表示（列表示）させる。この後、居室親機２ａのスイッチ２４ｃの押下操作回数が「２回」→「３回」→「４回」→「５回」→・・・と増える毎に、モニタ２３の設定項目決定領域２３２のうちスクロール表示領域２３１ｃと同一列の位置に強調表示される設定内容を、「♪４」→「♪５」→「♪６」→「♪１」→「♪２」→・・・のように遷移（図示せず）させることにより、第１の玄関子機５ａにて呼出操作を行った来訪者からの呼び出しを報知させる呼出音のパターンを、スクロールが固定されている他のスクロール表示領域２３１ａ、２３１ｂ、２３１ｄと同一列の設定項目決定領域２３２に強調表示されている呼出音のパターン「♪１」、「♪２」、「♪４」を確認しつつ、６個のパターン「♪１」、「♪２」、「♪３」、「♪４」、「♪５」、「♪６」の中から任意に変更でき、この変更された内容（変更内容）は、スピーカ２０からの音の出力、または色表示をもとに居住者に報知される。
【００３２】
次に、居室親機２ａが設置された住戸内に在室中の居住者が、第２の玄関子機６ａにて呼出操作を行った来訪者からの呼び出しを報知させる呼出音のパターンを「♪４」から変更するためには、先ず、各スイッチ２４ａ、２４ｂ、２４ｃ、２４ｄのうち、モニタ２３の固定表示領域２３０に予め表示されている設定対象の「第２の玄関子機」に並設されているスイッチ２４ｄを１回押下操作する。
【００３３】
この押下操作を検出した居室親機２ａの制御機能（詳述せず）は、図３（ａ）のテーブル図に示すように設定対象である「第２の玄関子機」に予め割り当てられている複数の呼出音のパターン、ここでは、６個のパターン「♪１」、「♪２」、「♪３」、「♪４」、「♪５」、「♪６」の設定内容がスクロール表示領域２３１ｄのみ列表示でスクロール可能となるように制御し、その他のスクロール表示領域２３１ａ、２３１ｂ、２３１ｃについてもスクロール表示領域２３１ｄとともに一画面で表示（列表示）させる。この後、居室親機２ａのスイッチ２４ｄの押下操作回数が「２回」→「３回」→「４回」→「５回」→・・・と増える毎に、モニタ２３の設定項目決定領域２３２のうちスクロール表示領域２３１ｄと同一列の位置に強調表示される設定内容を、「♪５」→「♪６」→「♪１」→「♪２」→「♪３」→・・・のように遷移（図示せず）させることにより、第２の玄関子機６ａにて呼出操作を行った来訪者からの呼び出しを報知させる呼出音のパターンを、スクロールが固定されている他のスクロール表示領域２３１ａ、２３１ｂ、２３１ｃと同一列の設定項目決定領域２３２に強調表示されている呼出音のパターン「♪１」、「♪２」、「♪３」を確認しつつ、６個のパターン「♪１」、「♪２」、「♪３」、「♪４」、「♪５」、「♪６」の中から任意に変更でき、この変更された内容（変更内容）は、スピーカ２０からの音の出力、または色表示をもとに居住者に報知される。
【００３４】
前述までの動作から明らかなように、図２（ａ）の説明図に示す第１の構成例としての（複数の）居室親機２ａ、２ｂ、・・・が設置された住戸内に在室中の居住者は、当該居室親機に接続される集合玄関機１または第１、第２の各玄関子機５ａ、６ａ、５ｂ、６ｂ、・・・を使用して呼出操作を行った来訪者、或いは管理室親機３を使用して呼出操作を行った管理人からの呼び出しがある旨の呼出音のパターンを変更するにあたり、各スイッチ２４ａ、２４ｂ、２４ｃ、２４ｄのうち、モニタ２３の固定表示領域２３０に並設されている当該スイッチを押下操作し、モニタ２３に列表示されたスクロール表示領域２３１ａ、２３１ｂ、２３１ｃ、２３１ｄのうち設定対象に予め割り当てられている当該スクロール表示領域のみ列表示でスクロール可能となるように制御することにより、スクロールが固定されている他の当該スクロール表示領域と同一列の設定項目決定領域２３２に強調表示されている呼出音のパターンを確認しつつ、呼出音のパターンを任意に変更でき設定操作が容易となり利便性が高められるとともに、この変更された内容（変更内容）は、スピーカ２０からの音の出力、または色表示をもとに居住者に報知することができる。
【００３５】
なお、図２（ａ）の説明図に示す第１の構成例としての（複数の）居室親機２ａ、２ｂ、・・・を適用するにあたり、モニタ２３に表示される設定項目決定領域２３２は、前述のように列表示されたスクロール表示領域２３１ａ、２３１ｂ、２３１ｃ、２３１ｄと同一列の位置のみならず、スクロール表示領域２３１ａ、２３１ｂ、２３１ｃ、２３１ｄを行表示させることにより、当該スクロール表示領域と同一行の位置に設定項目決定領域２３２を設けることもできる。
【００３６】
また、図２（ａ）の説明図に示す第１の構成例としての（複数の）居室親機２ａ、２ｂ、・・・を適用するにあたり、当該居室親機に接続される設定対象である機器として、集合玄関機１、管理室親機３、第１、第２の各玄関子機５ａ、６ａ、５ｂ、６ｂ、・・・ののように当該居室親機毎４台の機器を適用したが、これに限定されず、住戸内のトイレに設置されるトイレ子機（図示せず）や浴室に設置されるバス子機（図示せず）等についても設定対象として好適であり、これらトイレ子機（図示せず）およびバス子機（図示せず）を適用するにあたっては、設定内容として呼出音のみならず警報音の変更を行うことができ、その設定操作は、前述の呼出音のパターンの変更の動作と同様に容易であり利便性が高められるとともに、変更された内容（変更内容）は、スピーカ２０からの音の出力、または色表示をもとに居住者に報知することができる。
【００３７】
次に、本発明の実施例による集合住宅インターホンシステムにおいて、（複数の）居室親機２ａ、２ｂ、・・・として、前述の第１の構成例とは異なる図２（ｂ）の説明図に示す当該居室親機を適用した場合について説明する。
【００３８】
なお、図２（ｂ）の説明図は、（複数の）居室親機２ａ、２ｂ、・・・の第２の構成例を示す説明図であり、前述の第１の構成例と同様な構成については、同一の符号を付与して説明は省略する。
【００３９】
図２（ｂ）の説明図に示す（複数の）居室親機２ａ、２ｂ、・・・はそれぞれ同様な構成であり、前述のスピーカ２０、マイク２１、通話ボタン２２と、集合玄関機１または第１、第２の各玄関子機５ａ、６ａ、５ｂ、６ｂ、・・・を使用して呼出操作を行った来訪者、或いは管理室親機３を使用して呼出操作を行った管理人からの呼び出しがある旨の呼出メッセージ（詳述せず）や住戸内のトイレ、浴室等でセキュリティ異常が発生した旨の警報メッセージ（詳述せず）を表示させるとともに、当該居室親機に接続される複数の設定対象、ここでは、集合玄関機１、管理室親機３、第１、第２の各玄関子機５ａ、６ａ、５ｂ、６ｂ、・・・、トイレ子機（図示せず）、バス子機（図示せず）の６台の設定対象毎に呼出音、警報音等の設定項目に関する設定内容、例えば、それぞれで異なるパターンの第１〜第６の呼出音「♪１」、「♪２」、「♪３」、「♪４」、「♪５」、「♪６」を表示する固定表示領域２３０’、当該第１〜第６の呼出音のパターン毎に集合玄関機１、管理室親機３、第１、第２の各玄関子機５ａ、６ａ、５ｂ、６ｂ、・・・、トイレ子機（図示せず）、バス子機（図示せず）の６台の設定対象をスクロール表示するためのスクロール表示領域、ここでは、第１の呼出音のパターン「♪１」に割り当てられたスクロール表示領域２３１ａ’、第２の呼出音のパターン「♪２」に割り当てられたスクロール表示領域２３１ｂ’、第３の呼出音のパターン「♪３」に割り当てられたスクロール表示領域２３１ｃ’、第４の呼出音のパターン「♪４」に割り当てられたスクロール表示領域２３１ｄ’、第５の呼出音のパターン「♪５」に割り当てられたスクロール表示領域２３１ｅ、第６の呼出音のパターン「♪６」に割り当てられたスクロール表示領域２３１ｆが設けられたＬＣＤ、有機ＥＬディスプレイ等のモニタ２３’と、前述の第１〜第６の呼出音のパターン「♪１」、「♪２」、「♪３」、「♪４」、「♪５」、「♪６」の６つの設定内容毎に前述の集合玄関機１、管理室親機３、第１、第２の各玄関子機５ａ、６ａ、５ｂ、６ｂ、・・・、トイレ子機（図示せず）、バス子機（図示せず）の６台の設定対象（の名称）をスクロールさせるにあたり、当該設定対象がスクロールされる方向の延長上にそれぞれ設けられたスイッチ、ここでは、第１の呼出音のパターン「♪１」に割り当てられたスイッチ２４ａ’、第２の呼出音のパターン「♪２」に割り当てられたスイッチ２４ｂ’、第３の呼出音のパターン「♪３」に割り当てられたスイッチ２４ｃ’、第４の呼出音のパターン「♪４」に割り当てられたスイッチ２４ｄ’、第５の呼出音のパターン「♪５」に割り当てられたスイッチ２４ｅ、第６の呼出音のパターン「♪６」に割り当てられたスイッチ２４ｆとを有している。
【００４０】
次に、本発明の実施例による集合住宅インターホンシステムを構成する（複数の）居室親機２ａ、２ｂ、・・・として、図２（ｂ）の説明図に示す第２の構成例の当該居室親機を適用するにあたり、例えば、居室親機２ａにおいて、第１の呼出音のパターン「♪１」をスピーカ２０から出力させる呼出元が集合玄関機１、第２の呼出音のパターン「♪２」をスピーカ２０から出力させる呼出元が管理室親機３、第３の呼出音のパターン「♪３」をスピーカ２０から出力させる呼出元が第１の玄関子機５ａ、第４の呼出音のパターン「♪４」をスピーカ２０から出力させる呼出元が第２の玄関子機６ａ、第５の呼出音のパターン「♪５」をスピーカ２０から出力させる呼出元がトイレ子機（図示せず）、第６の呼出音のパターン「♪６」をスピーカ２０から出力させる呼出元がバス子機（図示せず）のように予め設定（プリセット設定）されていると、モニタ２３’の固定表示領域２３０’には、第１〜第６の呼出音のパターン「♪１」、「♪２」、「♪３」、「♪４」、「♪５」、「♪６」の設定内容毎の名称が表示される。また、モニタ２３’の固定表示領域２３０’に並設されている設定項目決定項目２３２’には、「集合玄関機」、「管理室親機」、「第１の玄関子機」、「第２の玄関子機」、「トイレ子機」、「バス子機」の設定対象が設定内容毎に強調表示され、この設定項目決定領域２３２’は、列表示されたスクロール表示領域２３１ａ’、２３１ｂ’、２３１ｃ’、２３１ｄ’、２３１ｅ、２３１ｆと同一列の位置に設けられている。
【００４１】
ここで、居室親機２ａが設置された住戸内に在室中の居住者が、第１の呼出音のパターン「♪１」をスピーカ２０から出力させる呼出元を「集合玄関機」から変更するためには、先ず、各スイッチ２４ａ’、２４ｂ’、２４ｃ’、２４ｄ’、２４ｅ、２４ｆのうち、モニタ２３’の固定表示領域２３０’に予め表示されている設定内容の第１の呼出音のパターン「♪１」に並設されているスイッチ２４ａ’を１回押下操作する。
【００４２】
この押下操作を検出した居室親機２ａの制御機能（詳述せず）は、図３（ｂ）のテーブル図に示すように設定内容の第１の呼出音のパターン「♪１」に予め割り当てられている複数の設定対象、ここでは、６台の設定対象「集合玄関機」、「管理室親機」、「第１の玄関子機」、「第２の玄関子機」、「トイレ子機」、「バス子機」がスクロール表示領域２３１ａ’のみ列表示でスクロール可能となるように制御し、その他のスクロール表示領域２３１ｂ’、２３１ｃ’、２３１ｄ’、２３１ｅ、２３１ｆについてもスクロール表示領域２３１ａ’とともに一画面で表示（列表示）させる。この後、居室親機２ａのスイッチ２４ａ’の押下操作回数が「２回」→「３回」→「４回」→「５回」→・・・と増える毎に、モニタ２３の設定項目決定領域２３２’のうちスクロール表示領域２３１ａ’と同一列の位置に強調表示される設定内容を、「管理室親機」→「第１の玄関子機」→「第２の玄関子機」→「トイレ子機」→「バス子機」→・・・のように遷移（図５の説明図を参照。）させることにより、第１の呼出音のパターン「♪１」をスピーカ２０から出力させる呼出元を、スクロールが固定されているスクロール表示領域２３１ｂ’、２３１ｃ’、２３１ｄ’、２３１ｅ、２３１ｆと同一列の設定項目決定領域２３２’に強調表示されている設定対象「管理室親機」、「第１の玄関子機」、「第２の玄関子機」、「トイレ子機」、「バス子機」を確認しつつ、６台の設定対象「集合玄関機」、「管理室親機」、「第１の玄関子機」、「第２の玄関子機」、「トイレ子機」、「バス子機」の中から任意に変更でき、この変更された内容（変更内容）は、スピーカ２０からの音の出力、または色表示をもとに居住者に報知される。
【００４３】
次に、居室親機２ａが設置された住戸内に在室中の居住者が、第２の呼出音のパターン「♪２」をスピーカ２０から出力させる呼出元を「管理室親機」から変更するためには、先ず、各スイッチ２４ａ’、２４ｂ’、２４ｃ’、２４ｄ’、２４ｅ、２４ｆのうち、モニタ２３’の固定表示領域２３０’に予め表示されている設定内容の第２の呼出音のパターン「♪２」に並設されているスイッチ２４ｂ’を１回押下操作する。
【００４４】
この押下操作を検出した居室親機２ａの制御機能（詳述せず）は、図３（ｂ）のテーブル図に示すように設定内容の第２の呼出音のパターン「♪２」に予め割り当てられている複数の設定対象、ここでは、６台の設定対象「集合玄関機」、「管理室親機」、「第１の玄関子機」、「第２の玄関子機」、「トイレ子機」、「バス子機」がスクロール表示領域２３１ｂ’のみ列表示でスクロール可能となるように制御し、その他のスクロール表示領域２３１ａ’、２３１ｃ’、２３１ｄ’、２３１ｅ、２３１ｆについてもスクロール表示領域２３１ｂ’とともに一画面で表示（列表示）させる。この後、居室親機２ａのスイッチ２４ｂ’の押下操作回数が「２回」→「３回」→「４回」→「５回」→・・・と増える毎に、モニタ２３の設定項目決定領域２３２’のうちスクロール表示領域２３１ｂ’と同一列の位置に強調表示される設定内容を、「第１の玄関子機」→「第２の玄関子機」→「トイレ子機」→「バス子機」→「集合玄関機」→・・・のように遷移（図示せず）させることにより、第２の呼出音のパターン「♪２」をスピーカ２０から出力させる呼出元を、スクロールが固定されているスクロール表示領域２３１ａ’、２３１ｃ’、２３１ｄ’、２３１ｅ、２３１ｆと同一列の設定項目決定領域２３２’に強調表示されている設定対象「集合玄関機」、「第１の玄関子機」、「第２の玄関子機」、「トイレ子機」、「バス子機」を確認しつつ、６台の設定対象「集合玄関機」、「管理室親機」、「第１の玄関子機」、「第２の玄関子機」、「トイレ子機」、「バス子機」の中から任意に変更でき、この変更された内容（変更内容）は、スピーカ２０からの音の出力、または色表示をもとに居住者に報知される。
【００４５】
次に、居室親機２ａが設置された住戸内に在室中の居住者が、第３の呼出音のパターン「♪３」をスピーカ２０から出力させる呼出元を「第１の玄関子機」から変更するためには、先ず、各スイッチ２４ａ’、２４ｂ’、２４ｃ’、２４ｄ’、２４ｅ、２４ｆのうち、モニタ２３’の固定表示領域２３０’に予め表示されている設定内容の第３の呼出音のパターン「♪３」に並設されているスイッチ２４ｃ’を１回押下操作する。
【００４６】
この押下操作を検出した居室親機２ａの制御機能（詳述せず）は、図３（ｂ）のテーブル図に示すように設定内容の第３の呼出音のパターン「♪３」に予め割り当てられている複数の設定対象、ここでは、６台の設定対象「集合玄関機」、「管理室親機」、「第１の玄関子機」、「第２の玄関子機」、「トイレ子機」、「バス子機」がスクロール表示領域２３１ｃ’のみ列表示でスクロール可能となるように制御し、その他のスクロール表示領域２３１ａ’、２３１ｂ’、２３１ｄ’、２３１ｅ、２３１ｆについてもスクロール表示領域２３１ｃ’とともに一画面で表示（列表示）させる。この後、居室親機２ａのスイッチ２４ｃ’の押下操作回数が「２回」→「３回」→「４回」→「５回」→・・・と増える毎に、モニタ２３の設定項目決定領域２３２’のうちスクロール表示領域２３１ｃ’と同一列の位置に強調表示される設定内容を、「第２の玄関子機」→「トイレ子機」→「バス子機」→「集合玄関機」→「管理室親機」→・・・のように遷移（図示せず）させることにより、第３の呼出音のパターン「♪３」をスピーカ２０から出力させる呼出元を、スクロールが固定されているスクロール表示領域２３１ａ’、２３１ｂ’、２３１ｄ’、２３１ｅ、２３１ｆと同一列の設定項目決定領域２３２’に強調表示されている設定対象「集合玄関機」、「管理室親機」、「第２の玄関子機」、「トイレ子機」、「バス子機」を確認しつつ、６台の設定対象「集合玄関機」、「管理室親機」、「第１の玄関子機」、「第２の玄関子機」、「トイレ子機」、「バス子機」の中から任意に変更でき、この変更された内容（変更内容）は、スピーカ２０からの音の出力、または色表示をもとに居住者に報知される。
【００４７】
次に、居室親機２ａが設置された住戸内に在室中の居住者が、第４の呼出音のパターン「♪４」をスピーカ２０から出力させる呼出元を「第２の玄関子機」から変更するためには、先ず、各スイッチ２４ａ’、２４ｂ’、２４ｃ’、２４ｄ’、２４ｅ、２４ｆのうち、モニタ２３’の固定表示領域２３０’に予め表示されている設定内容の第４の呼出音のパターン「♪４」に並設されているスイッチ２４ｄ’を１回押下操作する。
【００４８】
この押下操作を検出した居室親機２ａの制御機能（詳述せず）は、図３（ｂ）のテーブル図に示すように設定内容の第４の呼出音のパターン「♪４」に予め割り当てられている複数の設定対象、ここでは、６台の設定対象「集合玄関機」、「管理室親機」、「第１の玄関子機」、「第２の玄関子機」、「トイレ子機」、「バス子機」がスクロール表示領域２３１ｄ’のみ列表示でスクロール可能となるように制御し、その他のスクロール表示領域２３１ａ’、２３１ｂ’、２３１ｃ’、２３１ｅ、２３１ｆについてもスクロール表示領域２３１ｄ’とともに一画面で表示（列表示）させる。この後、居室親機２ａのスイッチ２４ｄ’の押下操作回数が「２回」→「３回」→「４回」→「５回」→・・・と増える毎に、モニタ２３の設定項目決定領域２３２’のうちスクロール表示領域２３１ｄ’と同一列の位置に強調表示される設定内容を、「トイレ子機」→「バス子機」→「集合玄関機」→「管理室親機」→「第１の玄関子機」→・・・のように遷移（図示せず）させることにより、第４の呼出音のパターン「♪４」をスピーカ２０から出力させる呼出元を、スクロールが固定されているスクロール表示領域２３１ａ’、２３１ｂ’、２３１ｃ’、２３１ｅ、２３１ｆと同一列の設定項目決定領域２３２’に強調表示されている設定対象「集合玄関機」、「管理室親機」、「第１の玄関子機」、「トイレ子機」、「バス子機」を確認しつつ、６台の設定対象「集合玄関機」、「管理室親機」、「第１の玄関子機」、「第２の玄関子機」、「トイレ子機」、「バス子機」の中から任意に変更でき、この変更された内容（変更内容）は、スピーカ２０からの音の出力、または色表示をもとに居住者に報知される。
【００４９】
なお、居室親機２ａが設置された住戸内に在室中の居住者が、第５、第６の各呼出音のパターン「♪５」、「♪６」をスピーカ２０から出力させる呼出元を「トイレ子機」、「バス子機」からそれぞれ変更する動作については、前述までの動作と同様、各スイッチ２４ａ’、２４ｂ’、２４ｃ’、２４ｄ’、２４ｅ、２４ｆのうち、モニタ２３’の固定表示領域２３０’に予め表示されている設定内容の第５、第６の各呼出音のパターン「♪５」、「♪６」に並設されているスイッチ２４ｅ、２４ｆを適宜、押下操作することにより、６台の設定対象「集合玄関機」、「管理室親機」、「第１の玄関子機」、「第２の玄関子機」、「トイレ子機」、「バス子機」の中から任意に変更でき、この変更された内容（変更内容）は、スピーカ２０からの音の出力、または色表示をもとに居住者にそれぞれ報知される（詳述せず）。
【００５０】
前述までの動作から明らかなように、図２（ｂ）の説明図に示す第２の構成例としての（複数の）居室親機２ａ、２ｂ、・・・が設置された住戸内に在室中の居住者は、第１〜第６の呼出音のパターン「♪１」、「♪２」、「♪３」、「♪４」、「♪５」、「♪６」をスピーカ２０から出力させる呼出元を、当該居室親機に接続される集合玄関機１、管理室親機３、第１、第２の各玄関子機５ａ、６ａ、５ｂ、６ｂ、・・・、トイレ子機（図示せず）、バス子機（図示）の中から変更するにあたり、各スイッチ２４ａ’、２４ｂ’、２４ｃ’、２４ｄ’、２４ｅ、２４ｆのうち、モニタ２３’の固定表示領域２３０’に並設されている当該スイッチを押下操作し、モニタ２３に列表示されたスクロール表示領域２３１ａ’、２３１ｂ’、２３１ｃ’、２３１ｄ’、２３１ｅ、２３１ｆのうち設定内容に予め割り当てられている当該スクロール表示領域のみ列表示でスクロール可能とすることにより、スクロールが固定されている他の当該スクロール表示領域と同一列の設定項目決定領域２３２’に強調表示されている設定対象を確認しつつ、設定対象を任意に変更でき設定操作が容易となり利便性が高められるとともに、この変更された内容（変更内容）は、スピーカ２０からの音の出力、または色表示をもとに居住者に報知することができる。
【００５１】
なお、図２（ｂ）の説明図に示す第２の構成例としての（複数の）居室親機２ａ、２ｂ、・・・を適用するにあたり、モニタ２３’に表示される設定項目決定領域２３２’は、前述のように列表示されたスクロール表示領域２３１ａ’、２３１ｂ’、２３１ｃ’、２３１ｄ’、２３１ｅ、２３１ｆと同一列の位置のみならず、スクロール表示領域２３１ａ’、２３１ｂ’、２３１ｃ’、２３１ｄ’、２３１ｅ、２３１ｆを行表示させることにより、当該スクロール表示領域と同一行の位置に設定項目決定領域２３２’を設けることもできる。
【図面の簡単な説明】
【００５２】
【図１】図１は、本発明の実施例による集合住宅インターホンシステムの概略構成を示すブロック図である。
【図２】図２（ａ）は、本発明の実施例による集合住宅インターホンシステムにおいて、居室親機の第１の構成例を示す説明図である。図２（ｂ）は、本発明の実施例による集合住宅インターホンシステムにおいて、居室親機の第２の構成例を示す説明図である。
【図３】図３（ａ）は、本発明の実施例による集合住宅インターホンシステムにおいて、居室親機として第１の構成例の当該居室親機を適用するにあたり参照されるテーブルの構成を示すテーブル図である。図３（ｂ）は、本発明の実施例による集合住宅インターホンシステムにおいて、居室親機として第２の構成例の当該居室親機を適用するにあたり参照されるテーブルの構成を示すテーブル図である。
【図４】図４は、本発明の実施例による集合住宅インターホンシステムにおいて、居室親機として第１の構成例の当該居室親機を適用するにあたりモニタに表示される画面の遷移例を示す説明図である。
【図５】図５は、本発明の実施例による集合住宅インターホンシステムにおいて、居室親機として第２の構成例の当該居室親機を適用するにあたりモニタに表示される画面の遷移例を示す説明図である。
【符号の説明】
【００５３】
１……集合玄関機
２ａ、２ｂ、・・・……居室親機
２３、２３’……モニタ
２３０、２３０’……固定表示領域
２３１ａ、２３１ｂ、２３１ｃ、２３１ｄ、２３１ａ’、２３１ｂ’、２３１ｃ’、２３１ｄ’、２３１ｅ、２３１ｆ……スクロール表示領域
２３２、２３２’……設定項目決定領域
２４ａ、２４ｂ、２４ｃ、２４ｄ、２４ａ’、２４ｂ’、２４ｃ’、２４ｄ’、２４ｅ、２４ｆ……スイッチ
３……管理室親機
４……制御機
５ａ、５ｂ、・・・……第１の玄関子機（玄関子機）
６ａ、６ｂ、・・・……第２の玄関子機（玄関子機）
【図１】
2006279264.tif 000003
【図２】
2006279264.tif 000004
【図３】
2006279264.tif 000005
【図４】
2006279264.tif 000006
【図５】
2006279264.tif 000007